(57)【要約】　【課題】　便座が温度による制限を受けることなく、どのような温度環境でも自動的に開き、使用上便利であるとともに、本体が汚れにくく、交換の頻度を低減させる便座を提供する。　【解決手段】　便器の蓋に対向する両側面に第１挿入孔と第２挿入孔を具えた便座と、中空で便座に形成された第１挿入孔か、或いは第２挿入孔に挿入される複数の本体とを含んでなり、該本体は内部に設けられ、内部を適宜な斜度を具えた上方空間と下方空間に仕切る隔絶板と、該隔絶板の一端の適宜な位置に設けられる単方向に動く板と、該隔絶板の他端に設けられる板と、該板の下方に設けられるバネと、該本体の内部に設けられる複数の球体とを含んで構成される。【選択図】図２　　
2004121842.tif 000002
【特許請求の範囲】
【請求項１】
便器の蓋に対向する両側面に第１挿入孔と第２挿入孔を具えた便座と、
中空で便座に形成された第１挿入孔か、或いは第２挿入孔に挿入される複数の本体とを含んでなり、
該本体は内部に設けられ、内部を適宜な斜度を具えた上方空間と下方空間に仕切る隔絶板と、該隔絶板の一端の適宜な位置に設けられる単方向に動く板と、該隔絶板の他端に設けられる板と、該板の下方に設けられるバネと、該本体の内部に設けられる複数の球体とを含んで構成されることを特徴とする自動開き機能を具えた便座。
【請求項２】
前記板の一端に設けられる隔絶板は波型を形成することを特徴とする請求項１に記載する自動開き機能を具えた便座。
【請求項３】
前記下方空間は内部に設けられた板の一端に波型板を設けることを特徴とする請求項１に記載する自動開き機能を具えた便座。
【請求項４】
前記単方向に動く板は適宜な斜度を具えて設けられることを特徴とする請求項１に記載する自動開き機能を具えた便座。
【請求項５】
前記板は球体の直径と同じ直径を具えた孔が形成されることを特徴とする請求項１に記載する自動開き機能を具えた便座。
【請求項６】
前記弾性体はバネであることを特徴とする請求項1記載の自動開き機能を具えた便座。
【請求項７】
前記球体はステンレス鋼玉など比較的重量の重い球体とすることを特徴とする請求項１に記載する自動開き機能を具えた便座。
【請求項８】
前記便座はマイクロスイッチを設けて便器の洗浄装置をコントロールすることができることを特徴とする請求項１に記載する自動開き機能を具えた便座。
【請求項９】
前記本体は、便座の蓋に対向する一端に平衡装置を設け、該平衡装置は固定部材と、固定部材の上に設けられたブロックとによってなることを特徴とする請求項１に記載する自動開き機能を具えた便座。
【請求項１０】
便座と、
便座の蓋に対向する側面に設けて便座と同時に回転する回転軸と、
中空で回転軸の両端に設けられる複数の本体とを含んでなり、
該本体は内部を適宜な斜度を具えた上方空間と下方空間に仕切る隔絶板と、該隔絶板の一端の適宜な位置に形成された単方向に動く板と、該隔絶板の他端に設けられる板と、該板の下方に設けられる弾性体と、該本体内部に設けられる複数の球体とによって構成することを特徴とする自動開き機能を具えた便座。
【請求項１１】
前記板の一端に設けられた隔絶板は波型を形成してなることを特徴とする請求項１０に記載する自動開き機能を具えた便座。
【請求項１２】
前記板に設けられる下方空間は波型を形成してなることを特徴とする請求項１０に記載する自動開き機能を具えた便座。
【請求項１３】
前記板は適宜な斜度を具えることを特徴とする請求項１０に記載する自動開き機能を具えた便座。
【請求項１４】
前記孔を具えた板は孔の大きさが球体のサイズと同じになることを特徴とする請求項１０に記載する自動開き機能を具えた便座。
【請求項１５】
前記弾性体はバネと使用してなることを特徴とする請求項１０に記載する自動開き機能を具えた便座。
【請求項１６】
前記球体はステンレス鋼玉や比較的重量の重い球状であることを特徴とする請求項１０に記載する自動開き機能を具えた便座。
【請求項１７】
前記便座に設けるマイクロスイッチは洗浄装置のモーターをコントロールするために使用できることを特徴とする請求項１０に記載する自動開き機能を具えた便座。
【請求項１８】
前記本体の一端に形成する平衡装置は、固定部材と固定部材に設けるブロックを具えて構成することを特徴とする請求項１０に記載する自動開き機能を具えた便座。
【発明の詳細な説明】
【技術分野】
【０００１】
　本発明は、自動開き機能を具えた便座に関し、便器の上に設け、使用者が蓋を下げて使用した後、自動的に蓋を上方へ移動する自動開き機能を具えた便座に関する。
【背景技術】
【０００２】
　台湾実用新案・出願第８９２２０１８３号の公報には、従来の自動便座が開示される。図１Ａに従来の自動便座の従断面図を開示し、図１Ｂに従来の自動便座の斜視図を開示する。図示によれば、中空で内部に設置空間を具えた本体（１０）は、該本体（１０）の内部に形成され、本体（１０）の内部を３つの部分に分ける隔絶板（１２）と、該隔絶板（１２）によって分けられた３つの部分の前方空間（１４）と、後方空間（１６）と、下方空間（１８）と、該前方空間（１４）と後方空間（１６）との間に形成され、両空間を連結するネック部（２０）と、該後方空間（１６）と下方空間（１８）との間に設けられ、両空間を連結する導管（２２）と、該下方空間（１８）と前方空間（１４）の間に形成され、両空間を連結する穿孔（２４）と、該本体（１０）の後方に形成されたブロック（２６）とを具えてなり、該ブロック（２６）の重量は便器の蓋の重さと同じになるように形成される。
【０００３】
上述の構造により形成された自動便器は、流体が注入される本体（１０）は、便座の両側面の内側に設けられる。便器使用後、流体が本体（１０）内を流動して、便座が自動的に開かれる。しかし、本体（１０）は流体を利用して便座を自動的に開く機能を使用しているため、流体が低温によって凝固する現象が起こりやすい。よって該便座は、寒帯に属する地域での使用に適さない。また、流体は長期間、本体（１０）の内部に入れたままになるため、苔などの不純物が生成しても掃除することができないとともに、破損により本体（１０）に穴が開いた場合、流体が流出する。このような状況が発生した場合、使用者は本体（１０）を交換しなければならないため、コストが増加する。また、使われる流体の比重が軽いため、本体（１０）の容量が大きくなければ、便座を自動的に開く機能を具えることができないため、全体の体積を増やさなければならない。
【特許文献１】台湾実用新案第８９２２０１８３号公報
【発明の開示】
【発明が解決しようとする課題】
【０００４】
この発明は、温度による制限を受けることなく、どのような温度環境でも使用することのできる自動開き機能を具えた便座を提供することを課題とする。
【０００５】
また、この発明は、本体が汚れにくく、交換の比率を低下させることができる自動開き機能を具えた便座を提供することを課題とする。
【０００６】
さらにこの発明は、本体の体積を縮小して外観の美しい自動開き機能を具えた便座を提供することを課題とする。
【課題を解決するための手段】
【０００７】
そこで、本発明者は従来の技術に見られる欠点に鑑み鋭意研究を重ねた結果、便器の蓋に対向する両側面に第１挿入孔と第２挿入孔を具えた便座と、中空で便座に形成された第１挿入孔か、或いは第２挿入孔に挿入される複数の本体とを含んでなり、該本体は内部に設けられ、内部を適宜な斜度を具えた上方空間と下方空間に仕切る隔絶板と、該隔絶板の一端の適宜な位置に設けられる単方向に動く板と、該隔絶板の他端に設けられる板と、該板の下方に設けられるバネと、該本体の内部に設けられる複数の球体とを含んでなる自動開き機能を具えた便座の構造によって課題を解決できる点に着眼し、かかる知見に基づいて本発明を完成させた。
【０００８】
以下、この発明について具体的に説明する。
請求項１に記載する自動開き機能を具えた便座は、便器の蓋に対向する両側面に第１挿入孔と第２挿入孔を具えた便座と、
中空で便座に形成された第１挿入孔か、或いは第２挿入孔に挿入される複数の本体とを含んでなり、該本体は内部に設けられ、内部を適宜な斜度を具えた上方空間と下方空間に仕切る隔絶板と、該隔絶板の一端の適宜な位置に設けられる単方向に動く板と、該隔絶板の他端に設けられる板と、該板の下方に設けられるバネと、該本体の内部に設けられる複数の球体とを含んで構成する。
【０００９】
　請求項２に記載する自動開き機能を具えた便座は、請求項１における板の一端に設けられる隔絶板が波型を形成する。
【００１０】
請求項３に記載する自動開き機能を具えた便器は、請求項１における下方空間は内部に設けられた板の一端に波型板を設ける。
【００１１】
請求項４に記載する自動開き機能を具えた便座は、請求項１における単方向に動く板は適宜な斜度を具えて設けられる。
【００１２】
請求項５に記載する自動開き機能を具えた便座は、請求項１における板は球体の直径と同じ直径を具えた孔が形成される。
【００１３】
請求項６に記載する自動開き機能を具えた便座は、請求項１における弾性体はバネである。
【００１４】
請求項７記載の自動開き機能を具えた便座は、請求項１における球体はステンレス鋼玉など比較的重量の重い球体とする。
【００１５】
請求項８に記載する自動開き機能を具えた便座は、請求項１における便座はマイクロスイッチを設けて便器の洗浄装置をコントロールすることができる。
【００１６】
請求項９に記載する自動開き機能を具えた便座は、請求項１における本体は、便座の蓋に対向する一端に平衡装置を設け、該平衡装置は固定部材と、固定部材の上に設けられたブロックとによってなる。
【００１７】
請求項１０に記載する自動開き機能を具えた便座は、便座と、
便座の蓋に対向する側面に設けて便座と同時に回転する回転軸と、
中空で回転軸の両端に設けられる複数の本体とを含んでなり、
該本体は内部を適宜な斜度を具えた上方空間と下方空間に仕切る隔絶板と、該隔絶板の一端の適宜な位置に形成された単方向に動く板と、該隔絶板の他端に設けられる板と、該板の下方に設けられる弾性体と、該本体内部に設けられる複数の球体とによって構成する。
【００１８】
請求項１１に記載する自動開き機能を具えた便座は、請求項１０における板の一端に設けられた隔絶板は波型を形成してなる。
【００１９】
請求項１２に記載する自動開き機能を具えた便座は、請求項１０における板に設けられる下方空間は波型を形成してなる。
【００２０】
請求項１３に記載する自動開き機能を具えた便座は、請求項１０における板は適宜な斜度を具える。
【００２１】
請求項１４に記載する自動開き機能を具えた便座は、請求項１０における孔を具えた板は孔の大きさが球体のサイズと同じになる。
【００２２】
請求項１５に記載する自動開き機能を具えた便座は、請求項１０における弾性体はバネと使用してなる。
【００２３】
請求項１６に記載する自動開き機能を具えた便座は、請求項１０における球体はステンレス鋼玉や比較的重量の重い球状である。
【００２４】
請求項１７に記載する自動開き機能を具えた便座は、請求項１０における便座に設けるマイクロスイッチは洗浄装置のモーターをコントロールするために使用できる。
【００２５】
請求項１８に記載する自動開き機能を具えた便座は、請求項１０における本体の一端に形成する平衡装置は、固定部材と固定部材に設けるブロックを具えて構成する。
【発明の効果】
【００２６】
　この発明による便座は、便座が温度による制限を受けることなく、どのような温度環境でも自動的に開き、使用上便利であるとともに、本体が汚れにくく、交換の頻度を低減させるという利点がある。
【発明を実施するための最良の形態】
【００２７】
　この発明は、便器の上に設け、使用者が便器使用後、自動的に蓋を開閉させる自動開器便座を提供するものであって、便器の蓋に対向する両側面に第１挿入孔と第２挿入孔を具えた便座と、中空で便座に形成された第１挿入孔か、或いは第２挿入孔に挿入される複数の本体とを含んでなり、該本体は内部に設けられ、内部を適宜な斜度を具えた上方空間と下方空間に仕切る隔絶板と、該隔絶板の一端の適宜な位置に設けられる単方向に動く板と、該隔絶板の他端に設けられる板と、該板の下方に設けられるバネと、該本体の内部に設けられる複数の球体とを含み、構成される。
　係る構成の便座について、その構造と特徴を詳述するために具体的な実施例を挙げ、以下に説明する。
【実施例１】
【００２８】
　図２に、この発明の第１の実施例の断面図を開示する。図示によれば、本体（３０）は、隔絶板（３２）と、該隔絶板（３２）により本体（３０）の内部を仕切って形成され、適宜な斜度を具えた上下方空間（３４）（３６）と、該隔絶板（３２）の一端の適宜な位置に形成された単方向に作動する板（３８）と、該隔絶板（３２）の他端に斜度を具えて設けられた板（４０）と、該板（４０）の下方に設けられた弾性体（４２）と、該下方空間（３６）の内部に設けられた板（３８）の下方に形成された波型板（４４）と、該本体（３０）内部の上方空間（３４）の一方に設けられた複数の球体（４６）と、該本体（３０）の外側一端に設けられた固定部材（４８）と、該固定部材（４８）に設けられたブロック（４９）とによって構成される。該弾性体（４２）はバネを使用し、まだ圧縮されていない場合、板（４０）は作動しないため上方空間（３４）と下方空間（３６）は貫通しない。弾性体（４２）が圧縮された場合、板（４０）が作動して上方空間（３４）と下方空間（３６）との間に空間が発生し、上方空間（３４）と下方空間（３６）とが貫通する。また、板（３８）に接している隔絶板（３２）は波型を形成する。また、ブロック（４９）は固定部材（４８）を回転させて位置を調整することにより平衡装置として使用することができる効果を有する。さらに、球体（４６）はステンレス鋼玉など比較的重量の重い球体を使用する。
【００２９】
図３に、この発明の平面図を開示する。図示によれば、便座（５０）は、便器の蓋に対向する両端の側面に第１挿入孔（５２）と、該第１挿入孔（５２）の内側に第２挿入孔（５４）とを設けてなる。２つの本体（３０）は便器の大きさにより第１挿入孔（５２）に挿入するか、第２挿入孔（５４）に挿入するかを決める。即ち、便器の大きさが大きい場合、本体（３０）は第１挿入孔（５２）に挿入し、便器の大きさが小さい場合、本体（３０）は第２挿入孔（５４）に挿入される。また該第１、第２挿入孔（５２）（５４）は、１つの挿入孔として形成してもよい。この場合、本体（３０）の位置を左右に調整するだけで、便器の大きさに合わせることができる。
【００３０】
図４Ａと図４Ｂにこの発明の便座の操作説明図を開示する。図示によれば、使用者は便座（５０）を便器の方向へ動かす場合、上方空間（３４）は適宜な斜度を具えているため、本体（３０）の内部に設けられた球体（４６）は他端の板（４０）が設けられている方向へ移動する。使用者が便座（５０）に腰掛けている場合、弾性体（４２）は圧縮されるため、板（４０）が動いて上方空間（３４）と下方空間（３６）との間が貫通する。また下方空間（３６）は適宜な斜度を具えているため、上方空間（３４）から下方空間（３６）へ転がり込んだ球体（４６）は下方空間（３６）の一端に設けられた波型板（４４）の前方に移動する。使用者は便器を使用後、球体（４６）が本体（３０）内部に形成された波型板（４４）の前方に移動しているため、球体（４６）の重量により便座（５０）が徐々に上方へ移動する。この時、球体（４６）は板（３８）を押し上げて上方空間（３４）の一端へ転がり込む。よって、便座（５０）は使用前の位置へ移動して、自動開き機能を達成する。該上方空間（３４）と下方空間（３６）の間に形成された板（３８）の一端には波型に形成された板が設けられているため、球体（４６）は徐々に上方空間（３４）の一端に移動する。よって、便座（５０）が急に上方へ移動することがない。また、本体（３０）の内部に設けられた固定部材（４８）を回転させてブロック（４９）の位置を移動させることにより、便座（５０）が上方に移動する速度を調節することができる。
【実施例２】
【００３１】
図５に、この発明の第２の実施例を開示する。図示によれば、この実施例において、本体（３０）の内部に設けられた板（４０）は上下に移動することができる板（５６）に変更して使用する。該板（５６）は球体（４６）の直径と同じ直径を具えた孔を形成する。使用者が便座（５０）を便器の方向へ移動させる場合、球体（４６）は本体（３０）の内部に形成された上方空間（３４）の一端へ移動する。該板（５６）は便座（５０）に外圧が加わっていないとき、板（５６）に形成された孔の下方が本体（３０）の底面よりも下方に位置するため、球体（４６）は孔を通過することができない。使用者が便座（５０）に腰をかけると、板（５６）の一端に設けられた弾性体（４２）が圧縮されるとともに、便座（５０）も上方から外圧を受けるため本体（３０）が下方へ移動し、球体（４６）が板（５６）の孔を通過して下方空間（３６）へ移動し、波型板（４４）の前方へ転がって集まる。その他の操作方法は上述の内容と同じであるためここでは詳述しない。
【００３２】
図６に、本発明の平面図を開示する。図示によれば、従来の便座（６０）の便器の蓋に対向する側面に回転軸（６２）を回動自在に設けて便座（６０）と回転軸（６２）とを同時に動かすことができる。また本体（３０）は回転軸（６２）の両端に設けられて便座（６０）は自動開き機能を具え、且つ回転軸（６２）において本体（３０）の位置を矢印のように左右へ移動させて調整するだけで各種サイズの便器に使用することができる。
【実施例３】
【００３３】
図７に、この発明の第３の実施例を開示する。図示によれば、スイッチ（６４）は便座（５０）の便器に接続するベース（６６）の表面に設けられる。該スイッチ（６４）は便器の洗浄装置をコントロールするために供し、便器使用時、便座（５０）が便器の方向へ移動し、使用者が便座（５０）使用時、便座（５０）とスイッチ（６４）が接触している場合、スイッチ（６４）は作動せず、洗浄装置も動かない。便器使用後、便器（５０）が上方へ移動する時、便座（５０）とスイッチ（６４）が離れるとスイッチ（６４）は信号を送信して便器の洗浄装置が作動して便器を洗浄する。またスイッチ（６４）はＣＯ３（炭酸イオン）の消毒、洗浄剤、紫外線装置などを作動させる装置として使用することもできる。
【００３４】
上述の説明のように、本発明の自動開き機能を具えた便座は、本体（３０）を便座（５０）の第１挿入孔（５２）或いは第２挿入孔（５４）に挿入するか、或いは従来の便座（６０）の後方に設けられた回転軸（６２）の両端に本体（３０）を設けるかによって、便器使用後、改良型の便座（５０）や従来の便座（６０）を自動的に上方へ移動させることができ、且つこの発明の本体（３０）は内部の構造を改良して、比較的重量の重い球体（４６）を従来の本体（１０）内部に設けられた流体の代わりに使用する方式により、従来の本体（１０）内部の流体が長時間を経過後水質が変化して不純物などを発生したり、本体（１０）に穴が開いて流体が流出するため、本体（１０）を交換しなければならず、本体（１０）の交換比率を増加させているという問題を解決した。また、球体（４６）は重量が重いため、便座（５０）の体積を入小さくしても自動開き機能を達成することができ、美観を増加させる。さらに使用者が便座（５０）を便器の方向へ移動し、まだ使用者が便座（５０）に座っていない場合、弾性体（４２）が圧縮されていないため、便座（５０）が跳ね上がることがない。よって従来の便座が内部に流体を入れ、内部の流体が一定流量に達した時点で便座（５０）が上方に跳ね上がるため、老人やケガをした患者など体の不自由な人がまだ準備のできてない時に便座（５０）が上方に移動してしまうという問題を解決した。また、使用者が便座（５０）を使用後、便座（５０）が上方へ移動する時間は従来の便座（５０）は内部の流体が一定の流量が流れなければ上方へ移動しないため、この発明の反応時間の方が従来よりも短い。
【００３５】
　以上はこの発明の好ましい実施例であって、この発明の実施の範囲を限定するものではない。よって、当業者のなし得る修正、もしくは変更であって、この発明の精神の下においてなされ、この発明に対して均等の効果を有するものは、いずれも本発明の特許請求の範囲に属するものとする。
【図面の簡単な説明】
【００３６】
【図１Ａ】従来の自動開き機能を具えた便座の断面図である。
【図１Ｂ】従来の自動開き機能を具えた便座の斜視図である。
【図２】本発明の一つのよりよい実施例の成形体の斜視断面概念図である。
【図３】本発明の一つのよりよい実施例の上面概念図である。
【図４Ａ】本発明の一つのよりよい実施例の成形体の作動概念図である。
【図４Ｂ】本発明の一つのよりよい実施例の成形体の作動概念図である。
【図５】本発明の一つのよりよい実施例のもう一つ成形体の作動概念図である。
【図６】本発明の他のもう一つの実施例の上面概念図である。
【図７】本発明の一つのよりよい実施例のマイクロスイッチの装着概念図である。
【符号の説明】
【００３７】
１０  本体
１２  隔絶板
１４  前方空間
１６  後方空間
１８  下方空間
２０  ネック部
２２  導管
２４  穿孔
２６  ブロック
３０  本体
３２  隔絶板
３４  上方空間
３６  下方空間
３８  板
４０  板
４２  弾性体
４４  波型板
４６  球体
４８  固定部材
４９  ブロック
５０  便座
５２  第１挿入孔
５４  第２挿入孔
５６  板
６０  便座
６２  回転軸
６４  スイッチ
６６  ベース
【図１Ａ】
2004121842.tif 000003
【図１Ｂ】
2004121842.tif 000004
【図２】
2004121842.tif 000005
【図３】
2004121842.tif 000006
【図４Ａ】
2004121842.tif 000007
【図４Ｂ】
2004121842.tif 000008
【図５】
2004121842.tif 000009
【図６】
2004121842.tif 000010
【図７】
2004121842.tif 000011